(57)【要約】【課題】動作表示灯を有する照明器具において、部品点数の増加を抑えて、コストアップすることなく停電灯を設けることができる照明器具を提供する。【解決手段】器具本体２０は、電源部３０、光源部２２、光源部２２を覆う透光性のグローブ６０を有するとともに、光源部２２の発光状態を表示する動作表示灯４０および電源部３０により蓄電され動作表示灯４０に給電可能な蓄電部３２を有する。そして、動作表示灯４０を、電源部３０に供給される電力が停止したときに、蓄電部３２から給電されて点灯可能としたので、停電時には動作表示灯４０が停電灯として点灯する。これにより、部品点数の増加を抑えて、コストアップすることなく停電灯を設けることができる。【選択図】図１
2015135758.tif 000002
【特許請求の範囲】
【請求項１】
器具本体と、
前記器具本体に収容された電源部と、
前記器具本体に収容された光源部と、
前記器具本体に支持され、前記光源部を覆う透光性のグローブと、
前記器具本体に収容され、前記光源部の発光状態を表示する動作表示灯と、
前記電源部に蓄電され、前記動作表示灯に給電可能な蓄電部と、を備え、
前記動作表示灯は、前記電源部に供給される電力が停止したときに前記蓄電部に給電されて点灯可能である照明器具。
【発明の詳細な説明】
【技術分野】
【０００１】
本発明は、光源の点灯状態を表示する動作表示灯を有する照明器具に関するものである。
【背景技術】
【０００２】
従来、照明器具の使用状態を表示する動作表示灯を有するものが知られている（例えば、特許文献１参照）。
図５に示すように、特許文献１に記載の照明器具１００は、円形板状の器具本体１０１を有する。器具本体１０１には、リモコン受信部１０２を内蔵した点灯回路制御部１０３が設けられている。
【０００３】
器具本体１０１には、光源である蛍光ランプ（図示省略）が取り付けられており、蛍光ランプを覆って器具本体１０１付けられるグローブ（図示省略）を有する。
また、器具本体１０１の外周には、センサ枠１０４が設けられており、センサ枠１０４の下面には、点灯回路制御部１０３に電気的に接続されるセンサユニット１０５が設けられている。
センサユニット１０５は、外光および室内光を検知する明るさセンサ用受光素子１０６と、蛍光ランプの点灯状態を表示する動作表示ランプ用ＬＥＤ（動作表示灯）１０７を有する。
【０００４】
従って、使用者が手に持ったリモコン送信部（図示省略）から無線光信号をリモコン受信部１０２に発することにより、点灯回路制御部１０３が稼動して蛍光ランプの点灯および消灯を制御する。
蛍光ランプが点灯を開始すると、センサユニット１０５の動作表示ランプ用ＬＥＤ１０７が蛍光灯の点灯状態を表示するために発光する。同時に、明るさセンサ用受光素子１０６が作動を開始して、外光および室内光の検知を始め、点灯回路制御部１０３は、所定の明るさよりも暗いと判断したら明るさを増すとともに、所定の明るさよりも明るいと判断したら、光量を減少する。
【先行技術文献】
【特許文献】
【０００５】
【特許文献１】特開２０１３−２２５５２４号公報（第３図）
【発明の概要】
【発明が解決しようとする課題】
【０００６】
しかしながら、前述した特許文献１に記載の照明器具においては、動作表示灯を有するが、停電時には電源を喪失するため、一切の動作を停止して、消灯する。このため、夜に停電すると、真っ暗になるため、停電時に点灯する停電灯を設けることが望ましい。
このとき、別基板を設けて停電灯を設けると、部品点数の増加を招き、コストアップを招くという問題があった。
【０００７】
本発明は、従来の問題を解決するためになされたもので、動作表示灯を有する照明器具において、部品点数の増加を抑えて、コストアップすることなく停電灯を設けることができる照明器具を提供することを目的とする。
【課題を解決するための手段】
【０００８】
本発明の照明器具は、器具本体と、前記器具本体に収容された電源部と、前記器具本体に収容された光源部と、前記器具本体に支持され、前記光源部を覆う透光性のグローブと、前記器具本体に収容され、前記光源部の発光状態を表示する動作表示灯と、前記電源部に蓄電され、前記動作表示灯に給電可能な蓄電部と、を備え、前記動作表示灯は、前記電源部に供給される電力が停止したときに前記蓄電部に給電されて点灯可能であるものである。
【発明の効果】
【０００９】
本発明は、電源部に供給される電力が停止したときに、動作表示灯を蓄電部３２から給電されて点灯可能としたので、停電時には動作表示灯が停電灯として点灯する。これにより、部品点数の増加を抑えて、コストアップすることなく停電灯を設けることができるという効果を有する照明器具を提供できる。
【図面の簡単な説明】
【００１０】
【図１】本発明に係る実施形態の照明装置の斜視図
【図２】本発明に係る実施形態の照明器具のグローブを外した状態の斜視図
【図３】停電時の方が明るく動作表示部を点灯させる回路の例
【図４】通電時の方が明るく動作表示部を点灯させる回路の例
【図５】従来の照明器具の平面図
【発明を実施するための形態】
【００１１】
以下、本発明に係る実施形態の照明器具用リモコン、照明器具および照明装置について、図面を用いて説明する。
図１に示すように、実施形態の照明装置８０は、照明器具１０および照明器具１０を操作する照明器具用リモコン７０を有する。
照明器具１０は、例えば天井１１等に取り付けて、室内等を照明するのに用いることができる。
なお、以下の説明においては、照明器具１０を天井１１に取り付けられた状態で、天井１１側を「上」とし、床（図示省略）側を「下」として説明する。
【００１２】
図２に示すように、照明器具１０は、天井１１等に取り付けられる器具本体２０と、器具本体２０の外周に沿って設けられているリング状の枠５０と、器具本体２０の下側に着脱可能に取り付けられる透光性のグローブ６０を有する。従って、枠５０は、グローブ６０の外側に位置する。
【００１３】
器具本体２０は、金属材料の平板から円形状に形成されており、略中央部には、天井１１に取り付けられている引掛シーリングボディ（図示省略）に取り付けるための円形の取付孔２１を有する。取付孔２１の近傍には、電源部（器具側電源部）３０が設けられている。
電源部３０は、常時蓄電されていて動作表示部（動作表示灯）４０に給電可能なバッテリやコンデンサ灯からなる蓄電部３２を有する。
また、電源部３０は、後述する主光源部（光源部、器具側光源部）２２、補助光源部２７および器具側送受信部２６等を制御する器具側制御部３１を有する。
【００１４】
器具本体２０の下面２０１には、外周部寄りに主光源部２２が設けられている。主光源部２２では、円周を４分割した扇形状の主光源基板２３が、円周方向に沿って４個配置されており、全体で円周状に配置されている。主光源基板２３は、電源部３０に電気的に接続されている。
各主光源基板２３の下面である実装面２３１には、複数個の主光源ＬＥＤ２４が主光源基板２３の周方向に沿って実装されている。
また、各主光源基板２３の長手方向両端部には主光源コネクタ２５が各々取り付けられており、隣接する主光源基板２３同士を電気的に接続している。
【００１５】
器具本体２０の下面２０１における取付孔２１と主光源部２２との間には、器具側送受信部２６および例えば常夜灯のような補助光源部２７が設けられている。
器具側送受信部２６は、照明器具用リモコン７０からの信号を受信する受信部を有するとともに、照明器具１０から照明器具用リモコン７０に信号を発する送信部を有する。
器具側送受信部２６および補助光源部２７は、電源部３０に電気的に接続されている。
【００１６】
器具本体２０の下面２０１における外周部には、グローブ６０を係止する複数個（ここでは６個）の係止金具２８が等間隔で設けられている。
一方、透光性を有するグローブ６０の内周端面には、複数個の係止突起６１が内側に突出して設けられており、グローブ６０を器具本体２０に対して回転させることにより、器具本体２０の係止金具２８に、着脱可能に取り付けられる。
【００１７】
枠５０は、器具本体２０の外周に取り付けられている円形リング状の部材であり、下面５１はグローブ６０の外側において下方に露出している。
枠５０の下面５１には、主光源部２２の発光状態を表示する動作表示部４０が下向きに取り付けられており、電源部３０に電気的に接続されている。
すなわち、動作表示部４０は、グローブ６０の外側に配置されており、グローブ６０を透過することなく、直接下方に光を照射する。
【００１８】
図１に示すように、動作表示部４０は、動作表示灯として第１ＬＥＤ４１および第２ＬＥＤ４２を有し、第１ＬＥＤ４１と第２ＬＥＤ４２との間にセンサ部４３を有する。
例えば、第１ＬＥＤ４１には青色ＬＥＤを用い、主光源部２２がおまかせで点灯していることを示す。また、第２ＬＥＤ４２には緑色ＬＥＤを用いることができ、主光源部２２がエコナビ運転中であることを表示する。
また、センサ部４３は、周囲の明るさを検知する明るさセンサを用いることができる。
【００１９】
動作表示部４０では、青色ＬＥＤである第１ＬＥＤ４１又は緑色ＬＥＤである第２ＬＥＤ４２の少なくとも一方を用いて、停電補助灯とすることができる。あるいは、停電補助灯として別個に設けることも可能である。
動作表示部４０は、グローブ６０の外側にある枠５０の下面５１に設けられているので、動作表示部４０からの光は、グローブ６０を透過することなく照射される。
このため、明るさを効率よく確保することができ、電流値を下げることができる。また、ＬＥＤを１個にすることもできる。さらに、電解コンデンサを小さくすることができ、点灯時間を長くすることができる。
【００２０】
図３には、商用電源からの電力の供給を受ける通電時の方が明るく動作表示部４０を点灯させる回路の例が示されている。
この場合、点灯している主光源部２２よりも動作表示部４０を明るく点灯させたい場合であり、電源部３０に電力が供給されない停電を検出すると、抵抗値が大きな抵抗に切り替えて、動作表示部４０の第１ＬＥＤ４１や第２ＬＥＤ４２に流れる電流を少なくする。
これにより、停電時において動作表示部４０は通電時よりも暗く点灯するが、長時間点灯することが可能になる。
【００２１】
図４には、停電時の方が通電時よりも明るく動作表示部４０を点灯させる回路の例が示されている。
この場合、停電時には通電時よりも動作表示部４０を明るく点灯させたい場合であり、停電を検出すると、抵抗値が小さな抵抗に切り替えて、動作表示部４０の第１ＬＥＤ４１や第２ＬＥＤ４２に流れる電流を多くする。
これにより、停電時において動作表示部４０は通電時よりも明るく点灯するが、点灯時間が短くなる。
【００２２】
図１に示すように、照明器具用リモコン７０は、リモコン側操作部７１と、リモコン側制御部７２と、リモコン側光源部７３と、リモコン側送受信部７４とを有する。
また、乾電池を収容したリモコン側電源部７５を有する。
使用者は、リモコン側操作部７１により照明器具１０の点灯状態を設定する。リモコン側制御部７２は、照明器具用リモコン７０全体を制御するとともに、リモコン側操作部７１により入力されたデータを信号に変える。リモコン側光源部７３は、リモコン側制御部７２の制御により、リモコン側電源部７５から電力の供給を受けて点灯する。リモコン側送受信部７４は、照明器具１０の器具側送受信部２６からの信号を受信するとともに、リモコン側制御部７２からの信号を器具側送受信部２６に発信する。
【００２３】
次に、照明装置８０の動作を説明する。
商用電源から電力が供給されている通電時においては、照明器具１０の主光源部２２あるいは補助光源部２７は、照明器具用リモコン７０の操作により点灯および消灯する。
このときの点灯状態は、動作表示部４０の第１ＬＥＤ４１および第２ＬＥＤ４２により表示される。
【００２４】
一方、商用電源からの電力の供給が停止された停電時においては、電源部３０からの電力の供給が停止するので、主光源部２２あるいは補助光源部２７は消灯する。停電を検知すると、器具側制御部３１は、蓄電部３２から給電して動作表示部４０の第１ＬＥＤ４１および第２ＬＥＤ４２の少なくとも１個を点灯させるとともに、器具側送受信部２６により照明器具用リモコン７０に電力停止状態を送信する。
照明器具用リモコン７０ではリモコン側送受信部７４が停電の信号を受けて、リモコン側制御部７２の制御によりリモコン側光源部７３を点灯させる。
【００２５】
次に、作用効果について説明する。
照明器具１０は、器具本体２０を有する。器具本体２０は、電源部３０、主光源部２２、主光源部２２を覆う透光性のグローブ６０を有するとともに、主光源部２２の発光状態を表示する動作表示部４０および、電源部３０により蓄電され動作表示部４０に給電可能な蓄電部３２を有する。
そして、電源部３０に供給される電力が停止したときに、動作表示部４０の第１ＬＥＤ４１および第２ＬＥＤ４２の少なくとも一方を、蓄電部３２から給電されて点灯可能としたので、停電時には第１ＬＥＤ４１および第２ＬＥＤ４２が停電灯として点灯する。
これにより、部品点数の増加を抑えて、コストアップすることなく停電灯を設けることができる。
【００２６】
照明器具１０は、器具本体２０を有する。器具本体２０は、電源部３０、主光源部２２、動作表示部４０、蓄電部３２、器具側送受信部２６、器具側制御部３１を有する。また、主光源部２２を覆う透光性のグローブ６０を有する。
動作表示部４０は、主光源部２２の発光状態を表示する。蓄電部３２は、電源部３０により蓄電され、動作表示部４０に給電可能である。器具側送受信部２６は、照明器具用リモコン７０と送受信を行う。器具側制御部３１は、器具側送受信部２６から得られた信号に基づいて、主光源部２２の制御を行うとともに、動作表示部４０を点灯させる。
【００２７】
そして、電源部３０に供給される電力が停止したときに、器具側制御部３１は、蓄電部３２から給電して動作表示部４０の第１ＬＥＤ４１および第２ＬＥＤ４２の少なくとも一方を点灯させるとともに、照明器具用リモコン７０に電力停止状態を送信する。
これにより、動作表示部４０が点灯して停電灯となるとともに、動作表示部４０を見ることにより、電源部３０に供給される電力が停止した停電時であることが容易にわかる。また、照明器具用リモコン７０を見ても停電時であることが容易にわかる。
【００２８】
照明器具用リモコン７０は、リモコン側操作部７１と、リモコン側制御部７２と、リモコン側光源部７３と、リモコン側送受信部７４と、を有する。
そして、電源部３０に供給される電力が停止して停電したときに、リモコン側送受信部７４は、照明器具１０の器具側送受信部２６から電力停止状態の信号を受信し、リモコン側制御部７２がリモコン側光源部７３を点灯させる。
これにより、照明器具用リモコン７０を見ても停電時であることが容易にわかる。
【００２９】
照明装置８０は、照明器具１０と、照明器具用リモコン７０とを有する。
そして、電源部３０に供給される電力が停止したときに、照明器具１０の器具側制御部３１は、蓄電部３２から給電して動作表示部４０の第１ＬＥＤ４１および第２ＬＥＤ４２のうちの少なくとも一方を点灯させる。同時に、器具側送受信部２６が、照明器具用リモコン７０に電力停止状態を送信する。また、照明器具用リモコン７０のリモコン側送受信部７４が、電源部３０に供給される電力が停止したことを受信したときには、リモコン側制御部７２は、リモコン側光源部７３を点灯させる。
これにより、動作表示部４０の点灯を見ることにより、電源部３０に供給される電力が停止した停電時であることが容易にわかるとともに、照明器具用リモコン７０のリモコン側光源部７３を見ても停電時であることが容易にわかる。
【００３０】
本発明の照明器具等は、前述した実施形態に限定されるものでなく、適宜な変形，改良等が可能である。
例えば、前述した実施形態において、主光源部２２としてＬＥＤ（主光源ＬＥＤ２４）を用いた場合を例示したが、主光源部２２としてその他の光源、例えば蛍光灯を用いることも可能である。
【符号の説明】
【００３１】
１０  照明器具
２０  器具本体
２２  主光源部（光源部）
３０  電源部
３２  蓄電部
４０  動作表示部（動作表示灯）
６０  グローブ
【図１】
2015135758.tif 000003
【図２】
2015135758.tif 000004
【図３】
2015135758.tif 000005
【図４】
2015135758.tif 000006
【図５】
2015135758.tif 000007